(57)【要約】【課題】発呼処理中に発信者側のテレビ電話端末に応じた映像を送信できるテレビ電話システムを提供すること。【解決手段】このテレビ電話システム１ａは、テレビ電話機３０がテレビ電話機３５に発呼する際に、テレビ電話機３０から送信される、テレビ電話機３０の発信者番号及びテレビ電話機３５の着信者番号を含む発呼情報を受信する送受信部１１１と、当該着信者番号に基づいて、テレビ電話機３０においてテレビ電話機３５を呼び出し中にリングバックトーンを発生させるための音源情報を選択するＲＢＴ選択部１１４と、当該発信者番号に基づいて、テレビ電話機３０においてテレビ電話機３５を呼び出し中に所定の映像を表示させるための映像情報を選択する映像選択部１１３と、当該選択した音源情報及び映像情報を合成する合成部１１２と、を備える。【選択図】  図１
2005033442.tif 000002
【特許請求の範囲】
【請求項１】
画像信号及び音声信号を送受信可能な一のテレビ電話端末が他のテレビ電話端末に発呼する際に、前記一のテレビ電話端末から送信される、前記一のテレビ電話端末を特定するための第一の端末特定情報及び前記他のテレビ電話端末を特定するための第二の端末特定情報を含む発呼情報を受信する受信手段と、
当該受信した発呼情報に含まれる第二の端末特定情報に基づいて、前記一のテレビ電話端末において前記他のテレビ電話端末を呼び出し中に所定の音を発生させるための音源情報を選択する音源選択手段と、
当該受信した発呼情報に含まれる第一の端末特定情報に基づいて、前記一のテレビ電話端末において前記他のテレビ電話端末を呼び出し中に所定の映像を表示させるための映像情報を選択する映像選択手段と、
当該選択した音源情報及び映像情報を合成する合成手段と、
当該合成した音源情報及び映像情報を前記一のテレビ電話端末に送信する送信手段と、
を備えるテレビ電話システム。
【請求項２】
端末特定情報に関連付けて当該端末特定情報で特定される利用者の属性を格納するユーザ情報格納手段を備え、
前記映像選択手段は、前記ユーザ情報格納手段に格納されている情報に基づいて前記第一の端末特定情報に対応する属性を特定し、当該特定した属性に対応する映像情報を選択する、請求項１に記載のテレビ電話システム。
【請求項３】
前記映像選択手段は、前記映像情報を選択した回数を映像情報格納手段に格納し、
当該格納されている映像情報の選択回数に基づいて、前記映像情報の供給元に課金処理を行う課金手段を備える、請求項１又は２に記載のテレビ電話システム。
【発明の詳細な説明】
【０００１】
【発明の属する技術分野】
本発明は、テレビ電話システムに関するものである。
【０００２】
【従来の技術】
テレビ電話システムにおいて、一のテレビ電話端末から他のテレビ電話端末へ発呼中に広告用映像を発呼側の一のテレビ電話端末へ流すものが提案されている（例えば、下記特許文献１参照。）。
【０００３】
【特許文献１】
特開平９−２４７２７６号公報
【０００４】
【発明が解決しようとする課題】
従来の技術では、予め設定されている一律の広告映像を流すことが可能であったが、ユーザによってはそのような一律の広告映像を好まない場合もある。
【０００５】
そこで本発明では、発呼処理中に発信者側のテレビ電話端末に応じた映像を送信できるテレビ電話システムを提供することを課題とする。
【０００６】
【課題を解決するための手段】
本発明のテレビ電話システムは、画像信号及び音声信号を送受信可能な一のテレビ電話端末が他のテレビ電話端末に発呼する際に、一のテレビ電話端末から送信される、一のテレビ電話端末を特定するための第一の端末特定情報及び他のテレビ電話端末を特定するための第二の端末特定情報を含む発呼情報を受信する受信手段と、当該受信した発呼情報に含まれる第二の端末特定情報に基づいて、一のテレビ電話端末において他のテレビ電話端末を呼び出し中に所定の音を発生させるための音源情報を選択する音源選択手段と、当該受信した発呼情報に含まれる第一の端末特定情報に基づいて、一のテレビ電話端末において他のテレビ電話端末を呼び出し中に所定の映像を表示させるための映像情報を選択する映像選択手段と、当該選択した音源情報及び映像情報を合成する合成手段と、当該合成した音源情報及び映像情報を一のテレビ電話端末に送信する送信手段と、を備える。
【０００７】
本発明のテレビ電話システムによれば、第二の端末特定情報に基づいて音源情報を選択するので、着信者側のテレビ電話端末に対応した音源情報を選択できる。また、第一の端末特定情報に基づいて映像情報を選択するので、発信者側のテレビ電話端末に対応した映像情報を選択できる。選択したそれぞれの音源情報及び映像情報を合成して発信者側のテレビ電話端末に送信するので、発信者側に対応した映像情報をテレビ電話端末で再生することができる。
【０００８】
また本発明のテレビ電話システムでは、端末特定情報に関連付けて当該端末特定情報で特定される利用者の属性を格納するユーザ情報格納手段を備え、映像選択手段は、ユーザ情報格納手段に格納されている情報に基づいて第一の端末特定情報に対応する属性を特定し、当該特定した属性に対応する映像情報を選択することも好ましい。端末特定情報と利用者の属性とが関連付けられて格納されているので、端末特定情報を用いて対応する利用者の属性を取得することができる。この属性に対応する映像情報を選択するので、利用者に応じた映像情報を選択できる。
【０００９】
また本発明のテレビ電話システムでは、映像選択手段は、映像情報を選択した回数を映像情報格納手段に格納し、当該格納されている映像情報の選択回数に基づいて、映像情報の供給元に課金処理を行う課金手段を備えることも好ましい。映像情報の選択回数に応じてその映像情報の供給元に課金処理を行うので、映像情報の利用頻度に応じた課金が可能となる。
【００１０】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１１】
本発明の実施形態であるテレビ電話システムについて図１を用いて説明する。図１はテレビ電話システム１ａを説明するための図である。本実施形態のテレビ電話システム１ａは、コアネットワーク１０、テレビ電話機３０（一のテレビ電話端末）、及びテレビ電話機３５（他のテレビ電話端末）を含む。コアネットワーク１０は、移動体通信キャリアが運用するコアネットワークである。図１に示しているコアネットワーク１０は、本実施形態の説明に必要な部分を取り出して図示しており、図示しない基地局、基地局制御装置、地域レジスタ、ホームレジスタ、関門交換機、ゲートウェイ装置といった構成要素を含む。
【００１２】
テレビ電話機３０は、この実施形態の場合には、発呼者（発信者）が使用する携帯型のテレビ電話端末であって、コアネットワーク１０に接続されている。テレビ電話機３５は、この実施形態の場合には、着呼者（着信者）が使用する携帯型のテレビ電話端末であって、コアネットワーク１０に接続されている。テレビ電話機３０及びテレビ電話機３５は、他の通信端末であるテレビ電話機等に発呼中に通信網（コアネットワーク１０など）を介して送られてくる音源情報に基づいて所定の音（リングバックトーン）を発生させ、同様に送られてくる映像情報に基づいて所定の画像（広告映像）を表示させることが可能な通信端末である。
【００１３】
引き続いて、コアネットワーク１０について説明する。図１に示すように、コアネットワーク１０は、交換機１１及び交換機１２と、課金部１０１と、ＲＢＴ情報格納部１５０と、広告情報格納部１５１（映像情報格納手段）と、ユーザ情報格納部１５２（ユーザ情報格納手段）と、を含む。引き続いて各構成要素について説明する。
【００１４】
交換機１１は、通常の交換機としての機能部の他に、送受信部１１１（受信手段、送信手段）と、合成部１１２（合成手段）と、映像選択部１１３（映像選択手段）と、ＲＢＴ選択部１１４（音源選択手段）と、切替部１１５とを含む。交換機１２は交換機１１と同様の構成であるので、交換機１１について説明する。
【００１５】
送受信部１１１は、テレビ電話機３０からテレビ電話機３５へ発呼する際に、テレビ電話機３０から送信される発呼情報を受信する部分である。この発呼情報にはテレビ電話機３０の電話番号である発信者番号（第一の端末特定情報）と、テレビ電話機３５の電話番号である着信者番号（第二の端末特定情報）とを含む。送受信部１１１は、受信した発呼情報に含まれる発信者番号及び着信者番号を合成部１１２及び切替部１１５に出力する。更に、送受信部１１１は、切替部１１５から出力される音源情報及び映像情報をテレビ電話機３０に送信する部分でもある（詳細は後述する）。
【００１６】
合成部１１２は、送受信部１１１から出力される発信者番号及び着信者番号の内、発信者番号を映像選択部１１３に出力し、着信者番号をＲＢＴ選択部１１４に出力する部分である。更に、合成部１１２は、映像選択部１１３が出力する映像情報と、ＲＢＴ選択部１１４が出力する音源情報とを合成して切替部１１５に出力する部分でもある。
【００１７】
映像選択部１１３は、合成部１１２から出力される発信者番号に基づいて、テレビ電話機３０においてテレビ電話機３５を呼び出し中に所定の映像を表示させるための映像情報を選択する部分である。より具体的には、映像選択部１１３は、発信者番号に基づいてユーザ情報格納部１５２を検索し、発信者番号に対応するユーザの属性を特定する。ユーザ情報格納部１５２に格納されている情報の例を図２に示す。図２に示す例に拠れば、ユーザ情報格納部１５２には「回線番号」「性別」「生年月日」「住所」が関連付けられて格納されている。「回線番号」は契約されている電話番号であって、各情報通信端末としてのテレビ電話機を特定する端末特定情報として取り扱われている。「性別」は対応する「回線番号」を契約しているユーザの性別である。「生年月日」も同様にこの対応する「回線番号」を契約しているユーザの生年月日である。「住所」も同様にこの対応する「回線番号」を契約しているユーザの住所である。例えば、合成部１１２が出力する発信者番号すなわち「回線番号」が「０９０−ＸＸＸＸ−ＸＸＸＸ」であれば、映像選択部１１３は、その発信者番号に対応するユーザの属性は「性別」が「男」で、「生年月日」が「１９７２年１月１日」で、「住所」が「東京都」であると特定する。
【００１８】
映像選択部１１３は、ユーザ情報格納部１５２に格納されている情報に基づいて特定したテレビ電話機３０のユーザの属性に基づいて、広告情報格納部１５１に格納されている映像情報からそのユーザの属性に対応する映像情報を選択する。本実施形態の場合、広告情報格納部１５１に格納されている映像情報は商品等の広告のための広告情報としての広告映像である。広告情報格納部１５１に格納されている情報の例を図３（ａ）及び図３（ｂ）に示す。図３（ａ）に示す例に拠れば、広告情報格納部１５１には、「映像ＩＤ」「映像情報」「適用開始日」「適用終了日」「性別」「居住地域」が関連付けられて格納されている。「映像ＩＤ」は各映像情報を特定するための情報である。「映像情報」は、テレビ電話機３０やテレビ電話機３５に送信されるとそれぞれにおいて所定の映像を表示することが可能なデータである。「適用開始日」及び「適用終了日」はそれぞれ各映像情報を提供することが可能な期間の始期と終期である。「性別」及び「居住地域」は各映像情報を提供するユーザの属性を示す情報である。例えば、テレビ電話機３０のユーザの属性が、「性別」が男で「居住地域」が東京都であれば、図３（ａ）の「映像ＩＤ」が「ＲＢＴ００２」である映像情報「ａｄ００２．ｍｐｇ」が適当なものであるとされ、映像選択部１１３はその映像情報「ａｄ００２．ｍｐｇ」を選択して合成部１１２に出力する。このように映像選択部１１３が映像情報を選択して出力すると、図３（ｂ）に示す各映像情報の送信回数をカウントアップして総送信回数を積算する。
【００１９】
図１に戻ってＲＢＴ選択部１１４について説明する。ＲＢＴ選択部１１４は、合成部１１２が出力する着信者番号に基づいて、ＲＢＴ情報格納部１５０に格納されている音源情報を選択する部分である。この音源情報は、テレビ電話機３０やテレビ電話機３５において、他のテレビ電話機を呼び出し中に所定の音（リングバックトーン）を発生させるためのものである。ＲＢＴ情報格納部１５０に格納されている情報の例を図４に示す。図４に示す例に拠れば、ＲＢＴ情報格納部１５０には、「着信者番号」「発信者番号」「音源情報」とが関連付けられて格納されている。例えば、合成部１１２から出力される「着信者番号」が「０９０−ＸＸＸＸ−ＸＸＸＸ」であれば、「音源情報」として「ｍｕｓｉｃ０１．ｗａｖ」を選択して合成部１１２に出力する。更に、合成部１１２からは「着信者番号」と共に「発信者番号」が出力されるようにしてもよい。その場合に、例えば合成部１１２から出力される「着信者番号」が「０９０−ＸＸＸＸ−ＸＸＸＸ」であって、「発信者番号」が「０９０−ＸＸＸＸ−ＹＹＹＹ」であれば、「音源情報」として「ｍｕｓｉｃ０２．ｗａｖ」を選択して合成部１１２に出力する。
【００２０】
切替部１１５は、送受信部１１１から出力される着信者番号及び発信者番号に基づいてテレビ電話機３５を呼び出すように指示する指示信号を出力する部分である。切替部１１５は更に、テレビ電話機３５を呼び出し中であって、合成部１１２から映像情報と音源情報とが合成された情報が出力された場合には、その合成された映像情報及び音源情報を送受信部１１１に出力する。その後、テレビ電話機３５との間で呼接続が確立した場合には、切替部１１５は合成された映像情報及び音源情報の出力を停止し、テレビ電話機３５との接続に切り替える。
【００２１】
課金部１０１は、広告情報格納部１５１に格納されている情報に基づいて課金処理を行う部分である。より具体的には、課金部１０１は、図３（ｂ）に示す各映像情報の送信回数を、その映像情報を提供している提供元に送信することで課金処理を行う。
【００２２】
引き続いて、本実施形態のテレビ電話システム１ａの動作について、図５に示すシーケンス図を用いて説明する。図５に示すシーケンス図は、テレビ電話システム１ａの内、交換機１１の送受信部１１１、合成部１１２、映像選択部１１３、ＲＢＴ選択部１１４、切替部１１５の動作について示している。
【００２３】
テレビ電話機３０からテレビ電話機３５へ電話をかけると、テレビ電話機３０から発信者番号と着信者番号とが交換機１２を経由して送信され、交換機１１の送受信部１１１がこの発信者番号と着信者番号（発呼情報）とを受信する（ステップＳ０１）。送受信部１１１は受信した発呼情報を切替部１１５に出力する（ステップＳ０２）。切替部１１５は、この発呼情報に基づいてテレビ電話機３５を呼び出すための呼出信号を出力する（ステップＳ０３）。
【００２４】
送受信部１１１はまた、受信した発呼情報を合成部１１２に出力する（ステップＳ０４）。合成部１１２は、発呼情報に含まれる発信者番号を映像選択部１１３に出力する（ステップＳ０５）。合成部１１２は、発呼情報に含まれる着信者番号をＲＢＴ選択部１１４に出力する（ステップＳ０６）。
【００２５】
映像選択部１１３は、発信者番号に基づいてユーザ情報格納部１５２に格納されている情報からテレビ電話機３０のユーザの属性を特定し、その特定した属性に基づいて広告情報格納部１５１に格納されている映像情報から所定の映像情報を選択する（ステップＳ０７）。映像選択部１１３は選択した映像情報を合成部１１２に出力する（ステップＳ０９）。
【００２６】
ＲＢＴ選択部１１４は、着信者番号に基づいてＲＢＴ情報格納部１５０に格納されている音源情報から所定の音源情報を選択する（ステップＳ０８）。ＲＢＴ選択部１１４は選択した音源情報を合成部１１２に出力する（ステップＳ１０）。
【００２７】
合成部１１２は、映像選択部１１３から出力された映像情報と、ＲＢＴ選択部１１４から出力された音源情報とを合成する（ステップＳ１１）。合成部１１２は合成した情報を切替部１１５に出力する（ステップＳ１２）。切替部１１５は合成部１１２が出力した情報を送受信部１１１に出力する（ステップＳ１３）。送受信部１１１はこの映像情報と音源情報とが合成された情報をテレビ電話機３０に送信する（ステップＳ１４）。
【００２８】
切替部１１５は、通話相手のテレビ電話機３５が応答したかどうかを判断する（ステップＳ１５）。この応答が無ければ、切替部１１５は合成部１１２が出力する情報を送受信部１１１に出力する。この応答があれば、切替部１１５は合成部１１２が出力してくる情報の出力を停止し、テレビ電話機３５から送信される情報に切り替える（ステップＳ１６）。切替部１１５は、テレビ電話機３５から送信される通話情報を送受信部１１１に出力する（ステップＳ１７）。送受信部１１１は、この通話情報を交換機１１を経由してテレビ電話機３０に送信し、テレビ電話機３０とテレビ電話機３５との間で映像・音声通話が確立する（ステップＳ１８）。
【００２９】
尚、本実施形態では、同一のコアネットワーク１０に接続されているテレビ電話機３０からテレビ電話機３５へ発呼する場合を例に取ったが、異なるのコアネットワークに接続されているテレビ電話機同士の場合でも適用することが可能である。
【００３０】
また、本実施形態では音源情報や映像情報は、コアネットワーク１０内に設けられているＲＢＴ情報格納部１５０及び広告情報格納部１５１に格納されているが、コアネットワーク１０の外部に設けられた格納手段に格納されていてもよい。
【００３１】
【発明の効果】
本発明によれば、第二の端末特定情報に基づいて音源情報を選択するので、着信者側のテレビ電話端末に対応した音源情報を選択できる。また、第一の端末特定情報に基づいて映像情報を選択するので、発信者側のテレビ電話端末に対応した映像情報を選択できる。選択したそれぞれの音源情報及び映像情報を合成して発信者側のテレビ電話端末に送信するので、発信者側に対応した映像情報をテレビ電話端末で再生することができる。従って本発明の目的とする、発呼処理中に発信者側のテレビ電話端末に応じた映像を送信できるテレビ電話システムを提供することができた。
【図面の簡単な説明】
【図１】本発明の実施形態であるテレビ電話システムを説明するための図である。
【図２】図１のユーザ情報格納部に格納されている情報の例を示す図である。
【図３】図１の広告情報格納部に格納されている情報の例を示す図である。
【図４】図１のＲＢＴ情報格納部に格納されている情報の例を示す図である。
【図５】本実施形態のテレビ電話システムの動作を説明するための図である。
【符号の説明】
１ａ…テレビ電話システム、１０…コアネットワーク、１１…交換機、１２交換機、３０…テレビ電話機、３５…テレビ電話機、１０１…課金部、１１１…送受信部、１１２…合成部、１１３…映像選択部、１１４…ＲＢＴ選択部、１１５…切替部、１５０…ＲＢＴ情報格納部、１５１…広告情報格納部、１５２…ユーザ情報格納部。
【図１】
2005033442.tif 000003
【図２】
2005033442.tif 000004
【図３】
2005033442.tif 000005
【図４】
2005033442.tif 000006
【図５】
2005033442.tif 000007